(57)【要約】【課題】    防犯性を確保しつつ通風、換気が可能となる建具を提供すること。【解決手段】上部障子２０を、閉鎖位置と開放位置との間を開閉自在に設けるとともに、閉鎖位置、および半開放位置の少なくとも２箇所において上部施錠装置７０で施錠することで、この上部障子２０によって形成される開口Ｏ１からの人の浸入が防止でき、防犯性を確保することができるとともに、形成された開口Ｏ１を通して室内外の空間が連通されることから、通風や換気が可能となり、良好な室内環境を得ることができる。【選択図】  図１０
2006241670.tif 000002
【特許請求の範囲】
【請求項１】
上枠、下枠、および左右の縦枠を有する窓枠と、この窓枠内に支持された少なくとも上下二段の障子とを備え、
前記少なくとも上下二段の障子のうち、少なくとも上側の障子は、閉鎖位置と開放位置との間を開閉自在に設けられるとともに、閉鎖位置、および閉鎖位置と開放位置との間の半開放位置の少なくとも２箇所において上部施錠装置で施錠される建具。
【請求項２】
前記上側の障子は、前記下側の障子の室外側において上下方向にスライド自在に前記窓枠に支持されている請求項１に記載の建具。
【請求項３】
前記上側の障子を開閉操作するための遠隔操作部が当該上側の障子から離れた室内位置に設けられている請求項１または請求項２に記載の建具。
【請求項４】
前記上側の障子は、閉鎖位置から開放位置に向かって開操作されて半開放位置まで移動された場合には、この半開放位置において前記上部施錠装置で自動施錠され、開放位置から閉鎖位置に向かって閉操作されて半開放位置まで移動された場合には、施錠されずに半開放位置を通過するとともに、閉鎖位置において前記上部施錠装置で自動施錠される請求項１から請求項３のいずれかに記載の建具。
【請求項５】
前記障子は、上下二段の障子から構成されており、
前記上側の障子は、前記下側の障子よりも高さ寸法が小さく形成されている請求項１から請求項４のいずれかに記載の建具。
【請求項６】
前記少なくとも上下二段の障子のうち、下側の障子は、前記窓枠に上下方向にスライド自在に支持されて閉鎖位置と開放位置との間を開閉自在に設けられ、閉鎖位置において下部施錠装置で施錠される請求項１から請求項５のいずれかに記載の建具。
【請求項７】
前記上側の障子よりも見込み方向室内側で、かつ前記下側の障子よりも見込み方向室外側の位置には、少なくとも当該上側の障子の室内側を覆う網戸が設けられている請求項１から請求項６のいずれかに記載の建具。
【請求項８】
前記半開放位置にある上側の障子によって形成される開口部の室外側を覆う格子体が前記窓枠に設けられている請求項１から請求項７のいずれかに記載の建具。
【請求項９】
前記窓枠の室外側には、複数のスラットを有した外部ブラインドが設けられ、
前記複数のスラットは、閉鎖位置にある前記上側の障子の見込み方向に重ならない開位置と、前記上下の障子の室外側を覆う閉位置との間を上下移動操作可能に構成されている請求項１から請求項８のいずれかに記載の建具。
【発明の詳細な説明】
【技術分野】
【０００１】
本発明は、建具に関し、詳しくは、窓枠と、この窓枠内に支持された少なくとも上下二段の障子とを備えた上げ下げ窓等の建具に関する。
【背景技術】
【０００２】
住宅等の外壁開口部に設けられる窓（サッシ窓）として、上下一対の障子を備えた上げ下げ窓が知られている（例えば、特許文献１参照）。
特許文献１に記載された上げ下げ窓は、窓枠と、この窓枠の上半分に固定された固定障子と、この固定障子の室内側に沿って上下にスライド開閉自在に設けられた室内障子（下部障子）とを備えて構成されている。そして、上げ下げ窓は、固定障子の下框（外召合せ框）に設けられたクレセント受けに、下部障子の上框（内召合せ框）に設けられたクレセント錠が係合することで、施錠されるようになっている。また、上げ下げ窓において、固定障子よりも室外側には、下部障子を開放した際に障子の下側に形成される開口部を覆う網戸が設けられており、通気や換気を行う際に網戸によって虫等の浸入が防止できるようになっている。
【０００３】
【特許文献１】特開２００３−２７８０９号公報
【発明の開示】
【発明が解決しようとする課題】
【０００４】
しかしながら、前記特許文献１に記載の上げ下げ窓では、内外の召合せ框に設けられたクレセント錠およびクレセント受けで固定障子と下部障子とが施錠されるため、下部障子が閉鎖位置にある状態でしか施錠することができず、通風、換気時における防犯性が確保できないという問題がある。
【０００５】
本発明の目的は、防犯性を確保しつつ通風、換気が可能となる建具を提供することにある。
【課題を解決するための手段】
【０００６】
本発明の建具は、上枠、下枠、および左右の縦枠を有する窓枠と、この窓枠内に支持された少なくとも上下二段の障子とを備え、前記少なくとも上下二段の障子のうち、少なくとも上側の障子は、閉鎖位置と開放位置との間を開閉自在に設けられるとともに、閉鎖位置、および閉鎖位置と開放位置との間の半開放位置の少なくとも２箇所において上部施錠装置で施錠されることを特徴とする。
【０００７】
ここで、少なくとも上下二段の障子は、上下一対の２枚の障子（上部障子および下部障子）から構成されていてもよく、３枚以上の障子から構成されていてもよい。
そして、上側の障子の開閉形式は、上下にスライドする形式でもよく、また当該障子の上辺（上框）または下辺（下框）が窓枠に軸支されて室外側や室内側に回動する突出し形式や内倒し形式等でもよく、さらに当該障子の縦辺（縦框）が窓枠に軸支されて室外側や室内側に回動する開き形式でもよい。また、上側の障子の半開放位置としては、通気や換気を行うことができ、かつ人が通過できない程度の隙間（開口）が形成される位置であり、例えば、上側の障子と窓枠や下側の障子との隙間寸法が１０cm程度となる位置が望ましい。そして、上側の障子の半開放位置は、閉鎖位置と開放位置との間における１箇所に限らず、２箇所以上であってもよい。
さらに、下側の障子は、開閉可能に構成されていてもよく、また開閉不能な固定障子であってもよい。
【０００８】
以上の本発明によれば、半開放位置に開放した状態の上側の障子を上部施錠装置によって施錠することで、この上側の障子によって形成される開口部からの人の浸入が防止でき、防犯性を確保することができるとともに、形成された開口部を通して室内外の空間が連通されることから、通風や換気が可能となり、良好な室内環境を得ることができる。
さらに、建物の１階に当該建具が設置される場合において、室外側から容易に手が届く下側の障子ではなく、手が届きにくい上側の障子を半開放位置で施錠可能としたことで、防犯性をさらに高めることができる。
そして、上側の障子を半開放位置で施錠した通風、換気可能な状態において、下側の障子を通して室外の景観を見ることができるため、室内の居住性および快適性をより一層高めることができる。つまり、当該建具を腰窓として設置した場合には、ソファ等に腰掛けた状態の居住者の目の高さに下側の障子が位置することとなり、この下側の障子を通して室外の景観を楽しむことができる。
【０００９】
この際、本発明の建具では、前記上側の障子は、前記下側の障子の室外側において上下方向にスライド自在に前記窓枠に支持されていることが好ましい。
このような構成によれば、開放した上側の障子の上方（窓枠の上部）に開口部が形成されることとなるため、半開放位置で施錠した状態の開口部により手が届きにくくなる、あるいは手が届かなくなるため、より一層防犯性を向上させることができる。そして、窓枠の上部に開口部が形成されるので、下側の障子を通した室外の景観が損ねられることがない。
【００１０】
さらに、本発明の建具では、前記上側の障子を開閉操作するための遠隔操作部が当該上側の障子から離れた室内位置に設けられていることが好ましい。
このような構成によれば、室内からも手が届きにくい上側の障子を遠隔操作部で開閉操作することで、操作性を向上させることができる。この際、遠隔操作部は、レバーやダイヤル、ロープなどで構成された手動操作によるものでもよく、またボタンなどで構成された電動（自動）操作によるものでもよい。
【００１１】
さらに、本発明の建具では、前記上側の障子は、閉鎖位置から開放位置に向かって開操作されて半開放位置まで移動された場合には、この半開放位置において前記上部施錠装置で自動施錠され、開放位置から閉鎖位置に向かって閉操作されて半開放位置まで移動された場合には、施錠されずに半開放位置を通過するとともに、閉鎖位置において前記上部施錠装置で自動施錠されることが好ましい。
このような構成によれば、通気や換気のために上側の障子を開操作すれば半開放位置で自動的に施錠されるので、半開放位置よりも開きすぎたり、施錠し忘れたりすることがなく、防犯性を向上させることができる。さらに、半開放位置よりも大きく開放された上側の障子を閉操作する場合には、半開放位置を通過するために閉操作を継続でき、操作性が良好にできるとともに、閉鎖位置で自動的に施錠されるため、より一層防犯性を向上させることができる。
【００１２】
また、本発明の建具では、前記障子は、上下二段の障子から構成されており、前記上側の障子は、前記下側の障子よりも高さ寸法が小さく形成されていることが好ましい。
このような構成によれば、通風や換気のために開閉操作される上側の障子の重量が小さくなるため、開閉操作が容易にでき、操作性を向上させることができる。さらに、上側の障子の取付位置が窓枠のより高い位置になることから、防犯性を高めることができるとともに、室内から目立たなくなって意匠性を高めることができる。
また、下側の障子の高さ寸法が大きくなるため、室外の景観がより見えやすくなって開放感を高めることができ、居住性や快適性を一層向上させることができる。
【００１３】
さらに、本発明の建具では、前記少なくとも上下二段の障子のうち、下側の障子は、前記窓枠に上下方向にスライド自在に支持されて閉鎖位置と開放位置との間を開閉自在に設けられ、閉鎖位置において下部施錠装置で施錠されることが好ましい。
このような構成によれば、下側の障子を開閉可能に構成したことで、必要に応じて下側の障子を開放することで利便性を向上させることができる。さらに、この下側の障子を施錠する下部施錠装置を備えたことで、上側の障子を施錠する上部施錠装置と独立して下側の障子を施錠でき、上側の障子を開放位置や半開放位置に開放した状態において、下側の障子を施錠しておくことで防犯性を確保することができる。
【００１４】
また、本発明の建具では、前記上側の障子よりも見込み方向室内側で、かつ前記下側の障子よりも見込み方向室外側の位置には、少なくとも当該上側の障子の室内側を覆う網戸が設けられていることが好ましい。
このような構成によれば、上側の障子を開放して通気や換気を行う場合に、虫やゴミ等の室内への浸入を防止することができる。さらに、上側の障子の室内側に網戸を設けたことで、当該建具の外観意匠性を向上させることができるとともに、下側の障子を通した景観を阻害することがなく、快適性を確保することができる。また、網戸を上側の障子の室内側に設けたことで、障子を閉じた状態の時に網戸が室外空間に露出せず、網戸が汚れにくくなり、建具の外観を良好に維持することができる。
【００１５】
また、本発明の建具では、前記半開放位置にある上側の障子によって形成される開口部の室外側を覆う格子体が前記窓枠に設けられていることが好ましい。
このような構成によれば、上側の障子を半開放位置で施錠して通気や換気を行う場合に、開口部の室外側に設けた格子体によって、外部からの人の侵入や上側の障子の操作が防止でき、防犯性をより一層向上させることができる。また、格子体の設置位置を上側の障子の室外側に限定することで、下側の障子を通した景観を阻害することがなく、快適性を確保することができる。
【００１６】
また、本発明の建具では、前記窓枠の室外側には、複数のスラットを有した外部ブラインドが設けられ、前記複数のスラットは、閉鎖位置にある前記上側の障子の見込み方向に重ならない開位置と、前記上下の障子の室外側を覆う閉位置との間を上下移動操作可能に構成されていることが好ましい。
このような構成によれば、外部ブラインドのスラットで上下の障子の室外側を覆うことで、室外からの日射や視線を遮ることができ、快適性を向上させ、プライバシーを保護することができる。また、開位置に移動させた状態のスラットが上側の障子の見込み方向に重ならないので、開放感が確保できるとともに、当該建具の外観および内観の意匠性を良好に維持することができる。
【発明を実施するための最良の形態】
【００１７】
以下、本発明の各実施形態を図面に基づいて説明する。
なお、第２実施形態以降において、次の第１実施形態で説明する構成部材と同じ構成部材、および同様な機能を有する構成部材には、第１実施形態の構成部材と同じ符号を付し、それらの説明を省略または簡略化する。
【００１８】
〔第１実施形態〕
図１は、本発明の第１実施形態に係る建具である上げ下げ窓１を室外側から見た正面図である。図２は、上げ下げ窓１を示す縦断面図である。図３および図４は、それぞれ上げ下げ窓１を示す横断面図であって、図３は、上部障子位置における横断面図であり、図４は、下部障子位置における横断面図である。
図１〜図４において、上げ下げ窓１は、戸建て住宅等の建物の外壁２における開口部３に設けられて建物の室内空間と室外空間とを仕切るもので、下端位置が床面よりも所定寸法（例えば、６００mm〜９００mm）だけ高い位置に設けられた腰窓である。
【００１９】
上げ下げ窓１は、上枠１１、下枠１２、および左右の縦枠１３を四周枠組みした窓枠１０と、この窓枠１０の内側に開閉自在に支持された上部障子（上側の障子）２０および下部障子（下側の障子）３０とを備えて構成されている。窓枠１０は、開口部３周辺の柱や壁パネル等の建物躯体４に固定されている。上部障子２０および下部障子３０は、それぞれ上框２１，３１、下框２２，３２、および左右の縦框２３，３３を四周框組みした内部に、ガラスパネル（複層ガラス）２４，３４を嵌め込んで構成されている。また、窓枠１０の室外側には、外部ブラインド４０が設けられ、上部障子２０の室内側における窓枠１０には、網戸５０が取り付けられている。
【００２０】
上部障子２０および下部障子３０は、それぞれ窓枠１０の縦枠１３に案内されて上下にスライド可能に支持されるとともに、上部障子２０が下部障子３０よりも室外側に設けられている。すなわち、上部障子２０によって室外側障子が構成され、下部障子３０によって室内側障子が構成されている。そして、上部障子２０の下框（外召合せ框）２２と下部障子３０の上框（内召合せ框）３１とが見込み方向に重なって上げ下げ窓１が閉じられるようになっている。上部障子２０は、その上框２１が上枠１１に当接した閉鎖位置から、閉じた状態の下部障子３０の上框３１に上框２１が略重なる開放位置までの間を、開閉移動可能に構成されている。一方、下部障子３０は、その下框３２が下枠１２に当接した閉鎖位置から、その上框３１が上枠１１に近接する開放位置までの間を、開閉移動可能に構成されている。
【００２１】
また、上部障子２０の高さ寸法、つまり上框２１上端縁から下框２２下端縁までの長さ寸法は、下部障子３０の高さ寸法よりも小さく形成され、具体的には、上部障子２０は、下部障子３０の略半分の高さ寸法に設定されている。すなわち、下部障子３０が閉鎖位置にある状態で上部障子２０を開放位置まで全開した場合には、上部障子２０が下部障子３０の略上半分の室外側に重なった状態となり、この上部障子２０の上方に開口が形成されて上げ下げ窓１が開かれるようになっている。このように、上部障子２０を下部障子３０の略半分の高さ寸法に設定したことで、上部障子２０を全開すれば、この上部障子２０の上下框２１，２２および下部障子３０の上框３１によって、窓枠１０の内部が上下に略三等分された略目の字形の外観（または内観）となり、バランスのよい良好な意匠性が得られる。
一方、上部障子２０が閉鎖位置にある状態で下部障子３０を開放位置まで全開した場合にも、下部障子３０の略上半分が上部障子２０および網戸５０の室内側に重なった状態となり、下部障子３０の下方に開口が形成されて上げ下げ窓１が開かれるようになっている。
【００２２】
次に、図５〜図９も参照して上げ下げ窓１の各部詳細について説明する。
図５は、上げ下げ窓１の上枠１１および上部障子２０の上框２１を拡大して示す縦断面図である。図６は、上げ下げ窓１の召合せ部である上部障子２０の下框２２および下部障子３０の上框３１を拡大して示す縦断面図である。図７は、上げ下げ窓１の下枠１２および下部障子３０の下框３２を拡大して示す縦断面図である。図８は、上げ下げ窓１の一方の縦枠１３および上部障子２０の縦框２３を拡大して示す横断面図である。図９は、上げ下げ窓１の他方の縦枠１３および下部障子３０の縦框３３を拡大して示す横断面図である。
【００２３】
上枠１１は、図２および図５に示すように、それぞれアルミ押出形材製の室内部材１１１、室外部材１１２、室内下面部材１１３、および室外下面部材１１４と、室内部材１１１および室外部材１１２の上辺同士を連結する樹脂製の断熱部材（不図示）と、室内下面部材１１３と室外下面部材１１４とを連結する樹脂製の断熱部材１１５とを備えて中空状に形成されている。そして、室内部材１１１および室外部材１１２の上部が建物躯体４にビス止め固定されている。室内下面部材１１３は、略水平に延びる中空部材であって、その室内側端が室内部材１１１の下端部に係合され、その室外側端部下面には、網戸５０の上端縁を係止する網戸係止片１１３Ａが下方に延びて形成されている。この網戸係止片１１３Ａの室外側には、上部障子２０の上框２１に当接して気密性を確保する気密材１１３Ｂが取り付けられている。また、室外下面部材１１４の室外側端は、室外部材１１２の側面に係合されており、この室外下面部材１１４よりも下方に延びた室外部材１１２の室内側側面には、上部障子２０の上框２１に当接して埃等の浸入を防止するモヘヤ１１２Ａが取り付けられている。
【００２４】
上部障子２０の上框２１は、図５に示すように、それぞれアルミ押出形材製の室内部材２１１および室外部材２１２と、これらの室内部材２１１と室外部材２１２とを連結する樹脂製の断熱部材２１３とを備えて形成されている。そして、上框２１は、下方に開口した溝状に形成されており、室内部材２１１と室外部材２１２との間に、断面略コ字形のガスケットを介してガラスパネル２４の上端縁が挟持されて支持されている。そして、室内部材２１１の室内側側面に気密材１１３Ｂが当接することで気密ラインが形成され、気密性が確保されるようになっている。さらに、上枠１１の断熱部材１１５および上框２１の断熱部材２１３によって、上枠１１の室内部材１１１、室内下面部材１１３および上框２１の室内部材２１１への外気からの熱伝導が遮断され、断熱性が確保されるようになっている。
【００２５】
上部障子２０の下框２２は、図６に示すように、それぞれアルミ押出形材製の室内部材２２１および室外部材２２２と、これらの室内部材２２１と室外部材２２２とを連結する樹脂製の断熱部材２２３とを備えて形成されている。そして、下框２２は、上方に開口した溝状に形成されており、室内部材２２１と室外部材２２２との間に、断面略コ字形のガスケットを介してガラスパネル２４の下端縁が挟持されて支持されている。また、室外部材２２２の下側には、アタッチメント２２５が取り付けられている。さらに、室外部材２２２の室内側端には、室内側に延びるとともに上方に折れ曲がって下部障子３０の上框３１を引き寄せる引き寄せ片２２２Ａが形成されている。
【００２６】
下部障子３０の上框３１は、それぞれアルミ押出形材製の室内部材３１１および室外部材３１２と、これらの室内部材３１１と室外部材３１２とを連結する樹脂製の断熱部材３１３とを備えて形成されている。そして、上框３１は、下方に開口した溝状に形成されており、室内部材３１１と室外部材３１２との間に、断面略コ字形のガスケットを介してガラスパネル３４の上端縁が挟持されて支持されている。また、室内部材３１１の室外側側面には、網戸５０に当接して埃等の浸入を防止するモヘヤ３１１Ａが取り付けられている。一方、室外部材３１２の室外側側面には、室外側に延びるとともに下方に折れ曲がって引き寄せ片２２２Ａに係合する鈎状片３１２Ａが形成されている。
【００２７】
以上のような召合せ部において、上部障子２０および下部障子３０を閉じた際には、引き寄せ片２２２Ａと鈎状片３１２Ａとが係合することで下框２２と上框３１とが引き寄せられるようになっている。そして、下框２２の断熱部材２２３および上框３１の断熱部材３１３によって、下框２２の室内部材２２１および上框３１の室内部材３１１への外気からの熱伝導が遮断され、断熱性が確保されるようになっている。また、上部障子２０を開放した際に、上部障子２０の室内側、つまり下框２２の引き寄せ片２２２Ａ上方に入り込んだ虫や埃等がモヘヤ３１１Ａで遮断され、これらの室内空間への浸入が防止されるようになっている。
【００２８】
下枠１２は、図７に示すように、それぞれアルミ押出形材製の室内部材１２１および室外部材１２２と、室内部材１２１と室外部材１２２とを連結する樹脂製の断熱部材１２３とを備えて形成されている。そして、室外部材１２２が建物躯体４にビス止め固定されるとともに、室内部材１２１および室外部材１２２が建物躯体４上に載置されて支持されている。室内部材１２１は、断熱部材１２３よりも上方に延びて形成されており、この室内部材１２１の上端部室外側側面には、下部障子３０の下框３２に当接して埃等の浸入を防止するモヘヤ１２１Ａが取り付けられている。一方、室外部材１２２は、室外側に向かって下がった上面部１２２Ａを有して中空状に形成されており、この上面部１２２Ａにおける下部障子３０の下框３２下方位置には、下框３２に当接して気密性を確保する気密材１２２Ｂが取り付けられている。
【００２９】
下部障子３０の下框３２は、それぞれアルミ押出形材製の室内部材３２１および室外部材３２２と、これらの室内部材３２１と室外部材３２２とを連結する樹脂製の２つの断熱部材３２３とを備えて形成されている。そして、下框３２は、上方に開口した溝状に形成されており、室内部材３２１と室外部材３２２との間に、断面略コ字形のガスケットを介してガラスパネル３４の下端縁が挟持されて支持されている。また、下框３２の室内部材３２１には、下部障子３０を開閉操作するための把手３５が設けられている。そして、室外部材３２２の下端部に気密材１２２Ｂが当接することで気密ラインが形成され、気密性が確保されるようになっている。さらに、下枠１２の断熱部材１２３および下框３２の断熱部材３２３によって、下枠１２の室内部材１２１および下框３２の室内部材３２１への外気からの熱伝導が遮断され、断熱性が確保されるようになっている。
【００３０】
縦枠１３は、図８および図９に示すように、それぞれアルミ押出形材製の室内部材１３１、室外部材１３２、室内レール部材１３３、および室外レール部材１３４と、室内部材１３１と室外部材１３２とを連結する樹脂製の断熱部材１３５と、室内レール部材１３３と室外レール部材１３４とを連結する樹脂製の断熱部材１３６とを備えて中空状に形成されている。そして、室外部材１３２が建物躯体４にビス止め固定され、室内レール部材１３３が室内部材１３１に、室外レール部材１３４が室外部材１３２に、それぞれビス止め固定されている。また、室内レール部材１３３と室外レール部材１３４との間には、閉じた状態の上部障子２０の縦框２３に沿った上部アタッチメント１４Ａと、閉じた状態の下部障子３０の縦框３３に沿った下部アタッチメント１４Ｂとが、後述する気密部材１５を介して上下に連続して設けられている。室内レール部材１３３および室外レール部材１３４は、見付け方向内側に向かって開口した断面略Ｃ字形に形成されており、それぞれ上部障子２０および下部障子３０を上下に案内可能に構成されている。
【００３１】
上部障子２０の縦框２３は、図８に示すように、それぞれアルミ押出形材製の室内部材２３１および室外部材２３２と、これらの室内部材２３１と室外部材２３２とを連結する樹脂製の断熱部材２３３とを備えて形成されている。そして、縦框２３は、見付け方向内側に開口した溝状に形成されており、室内部材２３１と室外部材２３２との間に、断面略コ字形のガスケットを介してガラスパネル２４の側端縁が挟持されて支持されている。室内部材２３１の室内側側面には、上部アタッチメント１４Ａに当接して気密性を確保する気密材２３１Ａが取り付けられており、室外部材２３２の見付け方向外側側面には、縦枠１３の室外レール部材１３４に当接して埃等の浸入を防止するモヘヤ２３２Ａが取り付けられている。
【００３２】
下部障子３０の縦框３３は、図９に示すように、それぞれアルミ押出形材製の室内部材３３１および室外部材３３２と、これらの室内部材３３１と室外部材３３２とを連結する樹脂製の断熱部材３３３とを備えて形成されている。そして、縦框３３は、見付け方向内側に開口した溝状に形成されており、室内部材３３１と室外部材３３２との間に、断面略コ字形のガスケットを介してガラスパネル３４の側端縁が挟持されて支持されている。室内部材３３１の見付け方向外側側面には、縦枠１３の室内レール部材１３３に当接して埃等の浸入を防止するモヘヤ３３１Ａが取り付けられており、室外部材３３２の室外側側面には、下部アタッチメント１４Ｂに当接して気密性を確保する気密材３３２Ａが取り付けられている。
【００３３】
以上の縦枠１３、上部障子２０の縦框２３および下部障子３０の縦框３３では、上部アタッチメント１４Ａに上部障子２０の気密材２３１Ａが当接し、下部アタッチメント１４Ｂに下部障子３０の気密材３３２Ａが当接するとともに、召合せ部において気密材２３１Ａと気密材３３２Aとが気密部材１５で接続されることで気密ラインが形成され、気密性が確保されるようになっている。さらに、縦枠１３の断熱部材１３５，１３６および縦框２３，３３の断熱部材２３３，３３３によって、縦枠１３の室内部材１３１、室内レール部材１３３、および縦框２３，３３の室内部材２３１，３３１への外気からの熱伝導が遮断され、断熱性が確保されるようになっている。
【００３４】
また、上部障子２０の縦框２３（または上下框２１，２２）には、室外レール部材１３４の溝内に挿入されるスライドシュー２５が設けられており、これらのスライドシュー２５が室外レール部材１３４に沿って案内されることで、上部障子２０が上下にスライド開閉されるようになっている。この上部障子２０の開閉操作は、図２、図７および図９に示すように、一方の縦枠１３の下部に設けた遠隔操作部としてのダイヤル１６を回転させることによって実行される。このダイヤル１６は、図示しない駆動機構を介して上部障子２０に接続されている。
一方、下部障子３０の下框３２には、室内レール部材１３３に挿入されるスライドシュー３６が設けられており、下部障子３０の上框３１には、図２および図６に示すラッチ３７が設けられており、このラッチ３７から突出した突出片（不図示）が室内レール部材１３３に挿入されている。そして、これらのスライドシュー３６およびラッチ３７の突出片が室内レール部材１３３に沿って案内されることで、下部障子３０が上下にスライド開閉されるようになっている。
【００３５】
次に、上部障子２０の開閉および施錠操作について、図１０に基づいて説明する。
図１０(Ａ)〜(Ｃ)は、上部障子２０の動作を説明する図である。
図１０において、窓枠１０の縦枠１３および上部障子２０の下框２２には、上部施錠装置７０が設けられている。この上部施錠装置７０は、一方（図中、右側）の縦枠１３室内側側面に設けられた操作部７１と、一方の縦枠１３内部に設けられた施錠装置本体部７２と、他方の縦枠１３に設けられた上下２箇所の錠受け部７３と、上部障子２０の下框２２内部に設けられたスライドピン７４とを備えて構成されている。そして、施錠装置本体部７２には、縦枠１３から見付け方向内側に向かって突没自在な上下一対のロックピン７２１が設けられている。これらのロックピン７２１は、上部障子２０の縦框２３下端部および下框２２に設けられた挿通孔に挿入可能になっている。また、ロックピン７２１は、操作部７１の操作によって施錠装置本体部７２内に没入するようになっている。一方、下框２２のスライドピン７４は、挿通孔に挿入されたロックピン７２１によって押圧され、他方の縦枠１３に向かってスライドして錠受け部７３の受け孔に挿入可能になっている。また、スライドピン７４は、一方の縦枠１３に向かって付勢されており、ロックピン７２１で押圧されていない状態では、下框２２内部に収納されるようになっている。
【００３６】
以上のような上部施錠装置７０において、図１０(Ａ)に示すように、上部障子２０が閉鎖状態にある場合には、施錠装置本体部７２における上側のロックピン７２１が上部障子２０に向かって突出し、挿通孔に挿入されている。そして、ロックピン７２１に押圧されたスライドピン７４が他方の縦枠１３に向かって突出し、上側の錠受け部７３の受け孔に挿入されている。このように、上部障子２０は、一方の縦枠１３側ではロックピン７２１に係止され、他方の縦枠１３側では錠受け部７３に係合したスライドピン７４に係止されることで、開移動が規制され施錠されることとなる。
【００３７】
次に、操作部７１を操作してロックピン７２１を施錠装置本体部７２内に没入させれば、これに伴ってスライドピン７４が下框２２内部に収納されて錠受け部７３との係合が外れる。この状態で上部障子２０は開移動可能となり、前記ダイヤル１６を回転操作して上部障子２０を開放することができるようになる。そして、開放操作を継続して上部障子２０が閉鎖位置と開放位置との間の半開放位置、すなわち下側のロックピン７２１が下框２２の挿通孔に挿入可能な位置まで開放されると、図示しないトリガが作動して下側のロックピン７２１が上部障子２０に向かって突出し、挿通孔に挿入される。これに伴ってスライドピン７４が他方の縦枠１３における下側の錠受け部７３の受け孔に挿入される。従って、図１０(Ｂ)に示すように、上部障子２０は、半開放位置において、下側のロックピン７２１、スライドピン７４、および下側の錠受け部７３によって施錠されることとなる。この際、上部障子２０の上方と窓枠１０との間には、開口Ｏ１が形成されている。この開口Ｏ１の高さ寸法は、例えば、１０cm程度に設定されている。
【００３８】
次に、上部障子２０が半開放位置で施錠された状態において、操作部７１を操作してロックピン７２１を施錠装置本体部７２内に没入させれば、上部障子２０が開放位置まで開放することができる、あるいは閉鎖位置まで閉鎖することができるようになる。図１０(Ｃ)に示すように、開放位置まで開放された状態で上部障子２０の上方と窓枠１０との間には、開口Ｏ２が形成されている。そして、この状態の上部障子２０は、ロックピン７２１が施錠装置本体部７２内に没入されているため、操作部７１を操作しなくてもダイヤル１６を回転操作するだけで閉移動可能となる。そして、上部障子２０が閉操作されて半開放位置まで閉鎖された際には、前記トリガが作動せず、この半開放位置を通過するようになっている。さらに、閉操作を継続して上部障子２０が閉鎖位置まで閉鎖された際には、トリガが作動して上側のロックピン７２１が上部障子２０に向かって突出し、挿通孔に挿入される。従って、図１０(Ａ)に示すように、上部障子２０は、閉鎖位置において、上側のロックピン７２１、スライドピン７４、および上側の錠受け部７３によって施錠されることとなる。
【００３９】
以上のように、上部障子２０は、閉鎖位置から開放位置に向かって開操作されて半開放位置まで移動された場合には、この半開放位置において上部施錠装置７０で自動施錠され、開放位置から閉鎖位置に向かって閉操作されて半開放位置まで移動された場合には、施錠されずに半開放位置を通過するとともに、閉鎖位置において上部施錠装置７０で自動施錠されるように構成されている。
【００４０】
次に、下部障子３０の開閉および施錠操作について、図１１および図１２に基づいて説明する。
図１１(Ａ)〜(Ｃ)は、下部障子３０の動作を説明する図である。図１２は、下部施錠装置８０を示す斜視図である。
図１１(Ａ)に示すように、下部障子３０が閉鎖位置にある場合には、図１２に示す２箇所の下部施錠装置８０によって下框３２が下枠１２に係止されて下部障子３０が施錠されるようになっている。下部施錠装置８０は、下枠１２に設けられた錠受け８１と、下部障子３０の下框３２に設けられたラッチ装置８２と、下框３２に設けられた前記把手３５とを備えて構成されている。この把手３５は、下框３２に固定された把手本体部３５１と、この把手本体部３５１の下面に回動自在に支持された把手操作部３５２とを備えて形成されている。そして、下部施錠装置８０では、開放された状態の下部障子３０を閉鎖位置に移動させれば、ラッチ装置８２が錠受け８１の受けピン８１１に係合して、下部障子３０が自動的に施錠されるようになっている。一方、下部障子３０を開操作する場合には、把手３５を掴んで把手操作部３５２を上方に回動させれば、ラッチ装置８２内の図示しないトリガが作動してラッチ装置８２と錠受け８１の受けピン８１１との係合が外れ、下部障子３０が開操作可能となる。そして、把手３５を上方に持ち上げるように開操作すると、図１１(Ｂ)に示すように、下部障子３０は、開放位置まで開放される。
【００４１】
一方、下部障子３０は、図１１(Ｃ)に示すように、下部障子３０下端部のスライドシュー３６が下枠１２から所定量だけ上方に位置した状態で、ラッチ３７の突出片と室内レール部材１３３との係合を外せば、スライドシュー３６に設けられた回動軸を中心に上框側が室内側に回動（内倒し）可能に構成されている。そして、下部障子３０を内倒しすることで、ガラスパネル３４の室外面を清掃することができるようになっている。この内倒し時において下部障子３０を所定の角度で窓枠１０に支持させるために、下部障子３０には、縦枠１３に接続された内倒しロッド３８が設けられている。この内倒しロッド３８の縦枠１３側端部には、スライドシュー３７１が設けられており、このスライドシュー３７１は、縦枠１３の室内レール部材１３３に設けられた内倒しレール１３３Ａに案内されて上下スライド可能になっている。内倒しレール１３３Ａの下端部には、ストッパー（位置決め部材）１３３Ｂが設けられており、このストッパー１３３Ｂにスライドシュー３７１が当接して位置決めされることで、内倒し時の下部障子３０の倒れ角度が規定されるようになっている。さらに、図１１(Ｂ)に示す開放位置まで下部障子３０が開放された際には、スライドシュー３６がストッパー１３３Ｂの下端に当接して位置決めされるようになっている。
【００４２】
次に、窓枠１０の室外側に設けられた外部ブラインド４０について、図１〜図４、図８、図９および図１３に基づいて説明する。
図１３は、外部ブラインド４０を示す一部を省略した斜視図である。
外部ブラインド４０は、図２に示すように、閉鎖位置にある上部障子２０の見込み方向に重ならない開位置と、図２に仮想線で示すように、上部障子２０および下部障子３０の室外側を覆う閉位置との間を上下移動操作可能な複数のスラット４１を備えて構成されている。さらに、外部ブラインド４０は、スラット４１を上下駆動する駆動部４５（モータや駆動制御装置等）を内蔵した上部ケース４２と、スラット４１を上下に案内する左右の縦レール４３と、これらの縦レール４３の下端縁を塞ぐキャップ部材４４とを備えて構成されている。上部ケース４２および縦レール４３は、それぞれアルミ形材製であって、上部ケース４２は、建物躯体４にビス止め固定され、縦レール４３は、建物躯体４および縦枠１３にビス止め固定され、キャップ部材４４は、縦レール４３の下端部にビス止め固定されている。
【００４３】
縦レール４３は、見付け方向内側に開口した案内溝部４３１（図４）を有して形成されており、この案内溝部４３１を介して縦レール４３内外に跨って設けられた端部部材４１１にスラット４１の端部が連結されている。端部部材４１１は、樹脂製の一体成形品であり、駆動部４５に接続されたチェーンに取り付けられて上下駆動されるようになっている。また、スラット４１は、中空略円弧状のアルミ形材製であり、その中空部に端部部材４１１の先端部が挿入されて端部部材４１１に固定されている。このスラット４１は、室内側に設けられた図示しないスイッチの操作によって、上下移動操作されるとともに、上部障子２０および下部障子３０の室外側を覆う閉位置において、スラット４１が略水平になってその間から外光や景色が透過可能な透過位置と、スラット４１が略垂直になって外光や景色を遮蔽する遮蔽位置との間で角度変更操作可能に構成されている。
【００４４】
次に、上部障子２０の室内側に設けられた網戸５０について、図５、図６、図８および図１４に基づいて説明する。
図１４は、縦枠１３および網戸５０の一部を示す斜視図である。
網戸５０は、それぞれアルミ形材製の上框５１、下框５２、および左右の縦框５３と、これら上下左右の框５１，５２，５３に四周を囲まれた内部に設けられたネット５４とを備えて構成されている。上下左右の框５１，５２，５３は、それぞれ室内部材５１１，５２１，５３１と、室外部材５１２，５２２，５３２とをビス止め固定して形成されている。そして、ネット５４の四周端縁は、室内部材５１１，５２１，５３１と室外部材５１２，５２２，５３２とで挟持されて上下左右の框５１，５２，５３に固定されている。
【００４５】
網戸５０の上框５１の上端縁には、鉤爪状に折れ曲がった爪部５１３が形成されており、この爪部５１３を上枠１１の網戸係止片１１３Ａに引っ掛けることで、網戸５０が上枠１１に固定されるようになっている。また、網戸５０の下框５２の両端部には、縦枠１３に向かって出没自在に設けられるとともに、突出方向に付勢された係止ピン５２３Ａを有する係止部５２３が設けられている。そして、縦枠１３の気密部材１５には、係止ピン５２３Ａを挿入可能な係止孔１５１が形成されており、この係止孔１５１に係止ピン５２３Ａを挿入することで、網戸５０の下端部が縦枠１３に固定されるようになっている。さらに、網戸５０の縦框５３の見付け方向外側端縁には、気密材５３３が取り付けられている。この気密材５３３は、網戸５０を窓枠１０に固定した状態において、上部アタッチメント１４Ａ側面に当接するようになっている。これにより、上部障子２０を開放または半開放した際に、網戸５０の縦框５３と縦枠１３との間から虫や埃等の室内空間へ浸入することが防止できるようになっている。
【００４６】
このような本実施形態によれば、以下のような効果がある。
（１）すなわち、半開放位置に開放した状態の上部障子２０を上部施錠装置７０によって施錠することで、この上部障子２０によって形成される開口Ｏ１からの人の浸入が防止でき、防犯性を確保することができるとともに、形成された開口Ｏ１を通して室内外の空間が連通されることから、通風や換気が可能となり、良好な室内環境を得ることができる。
【００４７】
（２）さらに、上部障子２０を半開放位置で施錠した通風、換気可能な状態において、下部障子３０のガラスパネル３４を通して室外の景観を見ることができるため、室内の居住性および快適性をより一層高めることができる。特に、上げ下げ窓１を腰窓として設置した場合には、ソファ等に腰掛けた状態の居住者の目の高さに下部障子３０が位置することとなり、そのガラスパネル３４を通して室外の景観を楽しむことができる。
【００４８】
（３）また、上部障子２０が上下にスライド開閉自在に設けられているので、開放した上部障子２０の上方（窓枠１０の上部）に開口Ｏ１，Ｏ２が形成されることとなるため、半開放位置で施錠した状態の開口Ｏ１により手が届きにくくなる、あるいは手が届かなくなるため、より一層防犯性を向上させることができる。
【００４９】
（４）そして、窓枠１０の上部に開口Ｏ１，Ｏ２が形成されるので、下部障子３０を通した室外の景観が損ねられることがない。
【００５０】
（５）また、通気や換気のために上部障子２０を開操作すれば半開放位置で自動的に上部施錠装置７０で施錠されるので、半開放位置よりも開きすぎたり、施錠し忘れたりすることがなく、防犯性を向上させることができる。さらに、半開放位置よりも大きく開放された上部障子２０を閉操作する場合には、半開放位置を通過するために閉操作を継続でき、操作性が良好にできるとともに、閉鎖位置で自動的に上部施錠装置７０で施錠されるため、より一層防犯性を向上させることができる。
【００５１】
（６）さらに、室内からも手が届きにくい上部障子２０を縦枠１３下部に設けたダイヤル１６で開閉操作することで、操作性を向上させることができる。また、上部施錠装置７０の操作部７１も縦枠１３下部に設けたので、解錠操作の操作性も向上させることができる。
【００５２】
（７）さらに、上部障子２０が下部障子３０よりも高さ寸法が小さく形成されているので、通風や換気のために開閉操作される上部障子２０の重量が小さくなって開閉操作が容易にでき、操作性を向上させることができる。さらに、上部障子２０の取付位置が窓枠１０のより高い位置になることから、防犯性を高めることができるとともに、室内から目立たなくなって意匠性を高めることができる。また、下部障子３０の高さ寸法が大きくなるため、室外の景観がより見えやすくなって開放感を高めることができ、居住性や快適性を一層向上させることができる。
【００５３】
（８）また、下部障子３０を開閉可能に構成したことで、必要に応じて下部障子３０を開放することができ、利便性を向上させることができる。さらに、この下部障子３０を施錠する下部施錠装置８０を備えたことで、上部障子２０を施錠する上部施錠装置７０と独立して下部障子３０が施錠でき、上部障子２０を開放位置や半開放位置に開放した状態において、下部障子３０を施錠しておくことで防犯性を確保することができる。また、従来の上げ下げ窓では、召合せ部に設けられたクレセントが室外側から目視できて錠装置の位置が確認できたのに対して、本実施形態の上部錠装置７０および下部錠装置８０は、室外側から目視できない位置に設けられているため、外部から錠装置７０，８０の位置が特定されにくくでき、防犯性をさらに向上させることができる。
【００５４】
（９）また、上部障子２０の室内側を覆う網戸５０が設けられていることで、上部障子２０を開放して通気や換気を行う場合に、虫やゴミ等の室内への浸入を防止することができる。さらに、上部障子２０の室内側に網戸５０を設けたことで、上げ下げ窓１の外観意匠性を向上させることができるとともに、下部障子３０を通した景観を阻害することがなく、快適性を確保することができる。また、網戸５０を上部障子２０の室内側に設けたことで、障子２０，３０を閉じた状態において網戸５０が室外空間に露出せず、網戸５０が汚れにくくなり、上げ下げ窓１の外観を良好に維持することができる。
【００５５】
（10）また、窓枠１０の室外側に外部ブラインド４０が設けられているので、外部ブラインド４０のスラット４１で上下の障子２０，３０の室外側を覆って室外からの日射や視線を遮ることができ、快適性を向上させ、プライバシーを保護することができる。さらに、スラット４１を中空アルミ形材製の堅牢な構造としたので、防犯性を向上させることができる。また、開位置に移動させた状態のスラット４１が上部障子２０の見込み方向に重ならないので、開放感が確保できるとともに、上げ下げ窓１の外観および内観の意匠性を良好に維持することができる。
【００５６】
〔第２実施形態〕
次に、本発明の第２実施形態に係る建具である上げ下げ窓１Ａについて、図１５、図１６に基づいて説明する。
図１５は、本実施形態の上げ下げ窓１Ａを室外側から見た正面図である。図１６は、上げ下げ窓１Ａを示す縦断面図である。
本実施形態の上げ下げ窓１Ａは、前記第１実施形態の上げ下げ窓１の外部ブラインド４０に替えて面格子（格子体）９０が取り付けられている点であり、その他の構成は、第１実施形態と略同様である。なお、本実施形態の面格子９０および第１実施形態の外部ブラインド４０の両者を１つの上げ下げ窓に設けても構わない。
【００５７】
図１５および図１６において、面格子９０は、左右一対の縦格子材９１と、上部障子２０の室外側位置に設けられた上下一対の横格子材９２と、これら縦および横の格子材９１，９２で囲まれた内部に設けられた中格子材９３と、縦格子材９１の下部に固定された下部格子材９４とを有して構成されている。そして、これらの縦格子材９１、横格子材９２、中格子材９３および下部格子材９４は、それぞれステンレスやアルミ合金等からなる角柱であって、互いに溶接で固定されている。また、縦格子材９１の上下端部が上枠１１および下枠１２に接合され、横格子材９２の左右端部および下部格子材９４の端部が縦枠１３に接合されて、面格子９０が窓枠１０に固定されている。
【００５８】
すなわち、縦格子材９１の上端部は、上枠１１における室外部材１１２の下端部に形成された凹溝部１１２Ｂに挿入され、縦格子材９１の下端部は、下枠１２における室外部材１２２の上面外端部に形成された凹溝部１２２Ｃに挿入されている。そして、凹溝部１１２Ｂ，１２２Ｃにおける縦格子材９１以外の部分には、これらの凹溝部１１２Ｂ，１２２Ｃを塞ぐアタッチメント１１２Ｃ，１２２Ｄ（図５、図７）が挿入され、縦格子材９１の上下端部が外部から見えないようになっている。また、横格子材９２の左右端部および下部格子材９４の端部は、縦枠１３の室外部材１３２の側面外端部に形成された見込み面部１３２Ａ（図８、図９）に連結ピン（不図示）によって固定されている。
【００５９】
このような本実施形態によれば、前述の(１)〜(９)の効果に加えて以下のような効果がある。
（11）すなわち、上部障子２０の室外側において横格子材９２および中格子材９３で格子ピッチが細かくなった面格子９０を設けたことによって、上部障子２０を半開放位置で施錠して通気や換気を行う場合に、外部からの人の侵入や上部障子２０の操作が防止でき、防犯性をより一層向上させることができる。また、面格子９０のうちの格子ピッチが細かい部分の設置位置を上部障子２０の室外側に限定することで、下部障子３０を通した景観を阻害することがなく、快適性を確保することができる。
【００６０】
（12）また、縦格子材９１の上下端部を上枠１１および下枠１２の凹溝部１１２Ｂ，１２２Ｃに挿入し、かつ凹溝部１１２Ｂ，１２２Ｃをアタッチメント１１２Ｃ，１２２Ｄで塞いだことで、縦格子材９１の上下端部が外部から見えないため、防犯性や意匠性を向上させることができる。さらに、横格子材９２の左右端部および下部格子材９４の端部が連結ピンで縦枠１３の見込み面部１３２Ａに固定されているので、横格子材９２および下部格子材９４の端部における接合部が外部から見えず、この点でも防犯性や意匠性を向上させることができる。
【００６１】
なお、本発明は、前記各実施形態に限定されるものではなく、本発明の目的を達成できる他の構成等を含み、以下に示すような変形等も本発明に含まれる。
例えば、前記各実施形態においては、上げ下げ窓１が上下一対の２枚の障子（上部障子２０および下部障子３０）を有して構成されていたが、これに限らず、３枚以上の障子を有して構成されていてもよい。
また、前記各実施形態では、上部障子２０および下部障子３０がそれぞれ上下にスライド開閉可能に構成されていたが、これに限らず、上部障子が突出し形式や内倒し形式、開き形式、辷出し形式等で開閉されるものでもよく、また下部障子３０が開閉不能な固定障子であってもよい。上部障子２０の開閉形式を突出し形式としたものとしては、図１７に示す窓１Ｂが例示できる。
【００６２】
窓１Ｂは、図１７(Ａ)に示すように、上部障子２０が上框２１を軸として突出し形式で室外側に回動されて開くようになっており、図示した状態が半開放位置であり、この状態で施錠可能に構成されている。そして、上部障子２０を閉じた状態において、上部障子２０と下部障子３０とは、略同一面内に位置するようになっており、窓１Ｂは、フラットな外観を有している。また、上部障子２０は、半開放位置よりも室外側に回動されて開き、開放位置まで開くように構成されている。
さらに、下部障子３０は、図１７(Ｂ)に示すように、室内側にスライド移動して、上部障子２０よりも見込み方向室内側に位置する状態まで移動可能に構成されている。このように下部障子３０は、室内側に移動させた状態において、上方にスライド開放可能になっている。
【００６３】
また、前記各実施形態では、単体の上げ下げ窓１について説明したが、図１８に示すように、１つの窓１Ｃの中に、上部障子２０および下部障子３０を有した上げ下げ窓の部分と、嵌め殺し窓や開き窓、縦（横）辷出し窓、突出し窓、内倒し窓等から任意に選択した窓部６０を有して建具を構成してもよい。窓１Ｃでは、上げ下げ窓の部分と他の左右２つの窓部６０とは、中間縦枠１３Ａによって仕切られており、この中間縦枠１３Ａは、窓部６０の形式に応じて適宜選択すればよい。
【００６４】
また、前記各実施形態における、外部ブラインド４０や網戸５０、面格子９０等は、本発明の必須要件ではないので、省略することも可能である。
また、外部ブラインド４０に替えてブラインドシャッターを設けてもよい。
また、網戸５０は、上部障子２０の室内側を覆う位置に限らず、上下の障子２０，３０の室外側を覆う位置に設けてもよく、上下の障子２０，３０の室内側に上げ下げ形式で設けてもよい。さらに、上部障子２０の室内側を覆う網戸５０に加えて、下部障子３０を開放した際に下部障子３０の下框３２と下枠１２との間を覆う網戸を設けてもよい。このような網戸は、下框３２や下枠１２に内蔵しておいてもよい。
また、面格子９０は、上部障子２０の室外側を覆うものに限らず、上下の障子２０，３０の室外側を覆うように設けてもよい。
【００６５】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【図面の簡単な説明】
【００６６】
【図１】本発明の第１実施形態に係る建具を室外側から見た正面図である。
【図２】前記建具を示す縦断面図である。
【図３】前記建具を示す横断面図であり、上部障子位置での横断面図である。
【図４】前記建具を示す横断面図であり、下部障子位置での横断面図である。
【図５】前記建具における上枠および上部障子の上框を拡大して示す縦断面図である。
【図６】前記建具における召合せ部を拡大して示す縦断面図である。
【図７】前記建具における下枠および下部障子の下框を拡大して示す縦断面図である。
【図８】前記建具における縦枠および上部障子の縦框を拡大して示す横断面図である。
【図９】前記建具における縦枠および下部障子の縦框を拡大して示す横断面図である。
【図１０】(Ａ)〜(Ｃ)は、前記上部障子の動作を説明する図である。
【図１１】(Ａ)〜(Ｃ)は、前記下部障子の動作を説明する図である。
【図１２】前記下部障子の下部施錠装置を示す斜視図である。
【図１３】前記建具における外部ブラインドを示す一部を省略した斜視図である。
【図１４】前記建具における縦枠および網戸の一部を示す斜視図である。
【図１５】本発明の第２実施形態に係る建具を室外側から見た正面図である。
【図１６】前記建具を示す縦断面図である。
【図１７】(Ａ)〜(Ｃ)は、本発明の変形例に係る建具の動作を示す図である。
【図１８】本発明の変形例に係る建具を示す正面図である。
【符号の説明】
【００６７】
１０…窓枠、１１…上枠、１２…下枠、１３…縦枠、１６…遠隔操作部であるダイヤル、２０…上部障子、２１…上框、２２…下框、２３…縦框、３０…下部障子、３１…上框、３２…下框、３３…縦框、４０…外部ブラインド、４１…スラット、７０…上部施錠装置、８０…下部施錠装置、９０…格子体である面格子。
【図１】
2006241670.tif 000003
【図２】
2006241670.tif 000004
【図３】
2006241670.tif 000005
【図４】
2006241670.tif 000006
【図５】
2006241670.tif 000007
【図６】
2006241670.tif 000008
【図７】
2006241670.tif 000009
【図８】
2006241670.tif 000010
【図９】
2006241670.tif 000011
【図１０】
2006241670.tif 000012
【図１１】
2006241670.tif 000013
【図１２】
2006241670.tif 000014
【図１３】
2006241670.tif 000015
【図１４】
2006241670.tif 000016
【図１５】
2006241670.tif 000017
【図１６】
2006241670.tif 000018
【図１７】
2006241670.tif 000019
【図１８】
2006241670.tif 000020